(57)【要約】【目的】弾道が安定した玩具銃を提供する。【構成】回転可能に設けられたシリンダ２と、シリンダ内の円周上に配置された複数の薬室内に軸方向へ進退可能に装備され、かつ弾丸３を軸方向へ押す手段を備えた収容室５を内部に有し、さらに後部に圧縮ガスの導入口６を設け、導入口６から前方へのびたガス通路７を有するカートリッジ８、及び発射位置でカートリッジ８を前進させる手段とを具備し、引き金操作によりカートリッジが前進し、弾丸３を銃身後端の装弾室３２に押し込むとともに、その弾丸３を受け止め、発射ガス圧がかかったときに同弾丸３を通過させる係止部３３を装弾室前側の上部に設ける。【選択図】        図２
2004340389.tif 000002
【特許請求の範囲】
【請求項１】
円周上に複数の薬室が配置され、発射位置に各薬室を順に位置させるために１軸上で回転可能に設けられたシリンダと、各薬室内に軸方向へ進退可能に装備され、弾丸を軸方向へ押す手段を備えた収用室を内部に有し、後端に圧縮ガスの導入口を設け、この導入口から前方にのびたガス通路を有するカートリッジ及び発射位置でカートリッジを前進させる手段とを具備し、引き金を引く操作によりカートリッジが前進し、弾丸を銃身の後端に位置する装弾室に押し込むとともに、押し込まれた弾丸を受け止め、発射ガス圧がかかったときに同弾丸を通過させる係止部を装弾室前側の上部に設けたことを特徴とする玩具銃。
【請求項２】
係止部材は、弾丸に対して左右均等に接する２点指示部を有する請求項１記載の玩具銃
【発明の詳細な説明】
【０００１】
【発明の属する技術分野】
本発明は、球形の弾丸を、１発ずつ、回転シリンダを有する弾倉から給弾するための構成を有する玩具銃に関するものである。
【０００２】
【従来の技術】
玩具銃には、特公平７−２１３９８号に開示された弾丸のホップアップ装置があり、同装置は球形弾丸に回転を与えて浮力を生じさせ、直進距離の延長を図るものであり、その効果は著しい。しかし、製品のなかには弾丸に与える回転が不均等になるものがあり、その場合には弾道が安定なものとならないという問題があった。
【０００３】
またリボルバー型玩具銃について、圧縮ガスによる発射機構を導入するシステムは実公平７−１１３４１号によって効率が著しく改善され、安定した性能が得られるようになった。しかしながら、同考案の場合、弾丸はシリンダー内にあり、そこから銃身へ押し出されるため、ガス圧が有効に使われないという問題と、弾丸がシリンダーから銃身に移動する際、継ぎ目通過時に乱れが発生するという問題があった。
【０００４】
【発明が解決しようとする問題点】
本発明は前記の点に着目してなされたもので、その課題は弾道が安定したホップアップ玩具銃を提供することにある。また本発明の他の課題は、高圧気流のエネルギーの消耗が少ない玩具銃を提供することにある。
【０００５】
【課題を解決するための手段】
前記の課題を解決するため、本発明は、円周上に複数の薬室が配置され、発射位置に各薬室を順に位置させるために１軸上で回転可能に設けられたシリンダと、各薬室内に軸方向へ進退可能に装備され、かつ弾丸を軸方向へ押す手段を備えた収用室を内部に有し、さらに後端に圧縮ガスの導入口を設け、この導入口から前方にのびたガス通路を有するカートリッジ及び発射位置でカートリッジを前進させる手段とを具備し、引き金を引く操作によりカートリッジが前進し、弾丸を銃身の後端に位置する装弾室に押し込むとともに、押し込まれた弾丸を受け止め、発射ガス圧がかかったときに同弾丸を通過させる係止部を装弾室前側の上部に設けるという手段を講じたものである。
【０００６】
【発明の実施の形態】
以下図示の実施形態により本発明をより詳細に説明する。
【０００７】
数個の薬室１を有する回転弾倉のシリンダ２は、実物と略同様の構造を有し、排莢部材２１により玩具銃２０の本体部分に回転可能かつ取出し可能に装着され、引き金２２又は撃鉄２３の操作に連動する送りピン２４により一定角度毎に回転し、複数の薬室１が順次、銃身２５を通る発射位置におかれるようになっている。
【０００８】
薬室１はカートリッジ８を嵌合することができる内径と、カートリッジ８よりやや長い室長を有し、円周上に等間隔で配置されている。薬室１の最前部には、その内側に配置されたリング状のガイド１０が設けられている。このリングガイド１０の内側には、前方へ向かうテーパ状に傾斜した係合面１４が形成されている。
【０００９】
カートリッジ８は一般の弾丸の薬莢に類似した円筒状を有し、後部が閉じ、前方が開いていて、内部は数個の弾丸３を１列に収められる収容室５になっており、基部取付軸１５に、弾丸３を前進させるばね４が取付られている。カートリッジ８の筒壁は軸方向前方へのびたスリット１２により分離されているので先端部は内外へ撓み変形可能であり（図３等参照）、その先端部には内側へ傾斜した係止部１１が形成されている。該係止部１１は前記係合面１４に当ると内側に撓み、弾丸３を押し或いは抱えられるようになっている。カートリッジ８の後端には圧縮ガスの導入口６が開口し、該口６は分岐した連絡通路１３よりスリット１２に通じている。つまりスリット１２と薬室内壁で囲まれる部分が圧縮ガスの通路７を兼ねている。
【００１０】
カートリッジ８は弾倉の薬室１に嵌挿され、かつ弾倉から取外し可能な状態で組込まれているが    偶然には外れないように止められている。弾丸３は薬室前部の開口１８から装填される。各図中、１９は銃本体側のガス噴出口、２６はガス噴出口１９の周囲の突リング、８ａはカートリッジ後端部で、該後端部８ａと突リング２６はカートリッジ８の前進手段Ａを構成する。３４は本体内ガスタンクで外部ガスボンベからガスを充填し、導入口６へ配管３５で連絡しており、引き金操作で開閉される。
【００１１】
収容室５に収められる弾丸３の内、最前部の弾丸３は、軟弾性材より成る弾止め３１によって、こぼれ出さないように止められており、引き金２２を引く操作によって突リング２６が前方へ押されると、弾丸３は１個、カートリッジ８から出るとともに、カートリッジ先端によって押され、装弾室３２へ移動し、その前側上部に設けられている係止部３３に当たって止まる（図３）。この状態において、弾丸は、係止部にカートリッジ前端で押されて固定され発射を待つ。係止部３３は、弾丸３にホップアップ運動を生じさせるために回転を与える部分であり、軟弾性材より成る。
【００１２】
従って、引き金２２を引く操作によって圧力気体源３４から例えば圧縮ガスが噴射されると、その圧縮ガス流は通路７から、最前部の弾丸３に向けて流れ、弾丸３は移動を開始し、銃身２５から回転状態で発射されることになる（図４）。引き金２２が操作されなくなると、突リング２６が後退し、次弾３′が最前部となって、弾止め３１に当たる位置に前進する（図５）。
【００１３】
【発明の効果】
本発明は以上の如く構成されかつ作用するものであるから、引き金を引く操作により最前部の弾丸はカートリッジから押し出されて装弾室に移動し、その前側上部に設けられている係止部とカートリッジ前端とで固定され、ふらつくことがないので、それまでのようにカートリッジから発射された結果途中で係止部に当たるために弾道が不安定になるおそれがなく、命中率が向上するという効果を奏する。
【図面の簡単な説明】
【図１】本発明に係る玩具銃の１実施形態を示す要部側面図。
【図２】要部を拡大して示す、発射前状態の断面図。
【図３】同じく弾丸が装弾室に移動した状態の断面図。
【図４】弾丸が発射のために移動を開始した状態の断面図。
【図５】次弾が待機状態におかれている断面図。
【符号の説明】
１  薬室
２  シリンダ
３  弾丸
５  収容室
６  ガス導入口
７  ガスの通路
８  カートリッジ
３２  装弾室
３３  係止部
【図１】
2004340389.tif 000003
【図２】
2004340389.tif 000004
【図３】
2004340389.tif 000005
【図４】
2004340389.tif 000006
【図５】
2004340389.tif 000007
【手続補正書】
【提出日】平成15年5月26日(2003.5.26)
【手続補正１】
【補正対象書類名】図面
【補正対象項目名】全図
【補正方法】変更
【補正の内容】
【図１】
2004340389.tif 000008
【図２】
2004340389.tif 000009
【図３】
2004340389.tif 000010
【図４】
2004340389.tif 000011
【図５】
2004340389.tif 000012